(57)【特許請求の範囲】
【請求項１】
シーケンシャルな物理リソースブロックに配列された複数のサブキャリアを使用する通信システムのリソース配分方法であって、前記シーケンシャルな物理リソースブロックの隣接するブロックは複数の群に配列され、該方法は、基地局において、
移動通信装置に配分するための少なくとも１つの仮想リソースブロックを決定し、
各仮想リソースブロックを特定するデータを前記移動通信装置にシグナリングし、
前記移動通信装置との通信に使用される物理リソースブロックを決定するために、各配分された仮想リソースブロックを、所定のマッピングデータを使用して、間隔を置かれた複数の前記シーケンシャルな物理リソースブロック上にマッピングすること、
を含み、
前記シグナリングされる前記データは、サブフレームの第１部分に使用される物理リソースブロックを表し、
前記所定のマッピングデータの少なくとも一部分は、前記サブフレームの第１部分と異なる時間のサブフレームの部分のために使用される物理リソースブロックのロケーションに関する方程式を定義する、
方法。
【請求項２】
前記所定のマッピングデータは、前記仮想リソースブロックたる物理リソースブロックの数を関数で示して前記間隔を規定する、請求項１に記載の方法。
【請求項３】
前記所定のマッピングデータの少なくとも一部分は、前記間隔に関する方程式を規定する、請求項１又は２に記載の方法。
【請求項４】
前記間隔のための前記方程式は、
【数１】
0005534258.tif 000043
であり、ただし、
【数２】
0005534258.tif 000044
であり、ｇａｐは前記間隔、Ｐは各群内の物理リソースブロック数、Ｎｄは仮想リソースブロックが表す物理リソースブロック数、
【数３】
0005534258.tif 000045
は前記シーケンシャルな物理リソースブロックの数を示し、
【数４】
0005534258.tif 000046
は床関数であり、
【数５】
0005534258.tif 000047
は天井関数である、請求項３に記載の方法。
【請求項５】
前記次なる物理リソースブロックの前記ロケーションに関する方程式は、
ＩＰＲＢ＝（ｘ＋ｇａｐ) ｍｏｄ ２＊ｇａｐ
であり、ただし、ＩＰＲＢは前記次なる物理リソースブロックのインデックス、ｘは前記サブフレームの第１部分に使用される物理リソースブロックの前記インデックス、ｇａｐは前記間隔である、請求項１ないし４の何れか一項に記載の方法。
【請求項６】
前記所定のマッピングデータは、前記マッピングする際に、前記マッピングされた物理リソースブロック間の前記間隔が、各群内の物理リソースブロック数の二乗の整数倍となるようなマッピングデータである、請求項１ないし５の何れか一項に記載の方法。
【請求項７】
シーケンシャルな物理リソースブロックに配列された複数のサブキャリアを使用する通信システムにおいて動作する移動通信装置によって実施される方法であって、前記シーケンシャルな物理リソースブロックの隣接するブロックは複数の群に配列され、該方法は、
前記移動通信装置に配分された１つ又は複数の仮想リソースブロックを特定するデータを受信すること、及び
基地局との通信に使用される物理リソースブロックを決定するために、各配分された仮想リソースブロックを、所定のマッピングデータを使用して、間隔を置かれた複数の物理リソースブロック上にマッピングすること、
を含み、
前記受信される前記データは、サブフレームの第１部分に使用される物理リソースブロックのインデックスを表し、
前記所定のマッピングデータの少なくとも一部分は、前記サブフレームの第１部分と異なる時間のサブフレームの部分のために使用される物理リソースブロックのロケーションに関する方程式を定義する、
方法。
【請求項８】
前記所定のマッピングデータは、前記仮想リソースブロックたる物理リソースブロックの数を関数で示して前記間隔を規定する、請求項７に記載の方法。
【請求項９】
前記所定のマッピングデータの少なくとも一部分は、前記間隔に関する方程式を規定する、請求項７又は８に記載の方法。
【請求項１０】
前記間隔に関する前記方程式は、
【数６】
0005534258.tif 000048
であり、ただし、
【数７】
0005534258.tif 000049
であり、ｇａｐは前記間隔、Ｐは各群内の物理リソースブロック数、Ｎｄは前記仮想リソースブロックが表す物理リソースブロック数、
【数８】
0005534258.tif 000050
は前記シーケンシャルな物理リソースブロックの数を示し、
【数９】
0005534258.tif 000051
は床関数であり、
【数１０】
0005534258.tif 000052
は天井関数である、請求項９に記載の方法。
【請求項１１】
次なる物理リソースブロックの前記ロケーションに関する前記方程式は、
ＩＰＲＢ＝（ｘ＋ｇａｐ) ｍｏｄ ２＊ｇａｐ
であり、ただし、ＩＰＲＢは前記次なる物理リソースブロックのインデックス、ｘは前記サブフレームの第１部分に使用される物理リソースブロックの前記インデックス、ｇａｐは前記間隔、Ｎｄは前記仮想リソースブロックが表す物理リソースブロック数である、請求項７ないし１０の何れか一項に記載の方法。
【請求項１２】
前記所定のマッピングデータは、前記マッピングする際に、前記マッピングされた物理リソースブロック間の前記間隔が、各群内の物理リソースブロック数の二乗の整数倍となるようなマッピングデータである、請求項７ないし１１の何れか一項に記載の方法。
【請求項１３】
シーケンシャルな物理リソースブロックに配列された複数のサブキャリアを使用する通信システムにおいて使用するための基地局であって、前記シーケンシャルな物理リソースブロックの隣接するブロックは複数の群に配列され、該基地局は、
移動通信装置に配分するための少なくとも１つの仮想リソースブロックを決定する手段と、
各仮想リソースブロックを特定するデータを前記移動通信装置にシグナリングする手段と、
各配分された仮想リソースブロックを、所定のマッピングデータを使用して、間隔を置かれた複数の物理リソースブロックにマッピングし、前記移動通信装置との通信に使用される前記物理リソースブロックを決定する手段と、
を備え、
前記シグナリングされる前記データは、サブフレームの第１部分に使用される物理リソースブロックを表し、
前記所定のマッピングデータの少なくとも一部分は、前記サブフレームの第１部分と異なる時間のサブフレームの部分のために使用される物理リソースブロックのロケーションに関する方程式を定義する、
基地局。
【請求項１４】
前記所定のマッピングデータは、前記仮想リソースブロックたる物理リソースブロックの数を関数で示して前記間隔を規定する、請求項１３に記載の基地局。
【請求項１５】
前記所定のマッピングデータの少なくとも一部分は、前記間隔に関する方程式を規定する、請求項１３又は１４に記載の基地局。
【請求項１６】
前記間隔のための前記方程式は、
【数１１】
0005534258.tif 000053
であり、ただし、
【数１２】
0005534258.tif 000054
であり、ｇａｐは前記間隔、Ｐは各群内の物理リソースブロック数、Ｎｄは仮想リソースブロックが表す物理リソースブロック数、
【数１３】
0005534258.tif 000055
は前記シーケンシャルな物理リソースブロックの数を示し、
【数１４】
0005534258.tif 000056
は床関数であり、
【数１５】
0005534258.tif 000057
は天井関数である、請求項１５に記載の基地局。
【請求項１７】
前記次なる物理リソースブロックの前記ロケーションに関する方程式は、
ＩＰＲＢ＝（ｘ＋ｇａｐ) ｍｏｄ ２＊ｇａｐ
であり、ただし、ＩＰＲＢは前記次なる物理リソースブロックのインデックス、ｘは前記サブフレームの第１部分に使用される物理リソースブロックの前記インデックス、ｇａｐは前記間隔である、請求項１３ないし１６の何れか一項に記載の基地局。
【請求項１８】
前記所定のマッピングデータは、前記マッピングする際に、前記マッピングされた物理リソースブロック間の前記間隔が、各群内の物理リソースブロック数の二乗の整数倍となるようなマッピングデータである、請求項１３ないし１７の何れか一項に記載の基地局。
【請求項１９】
シーケンシャルな物理リソースブロックに配列された複数のサブキャリアを使用する通信システムにおいて動作する移動通信装置であって、前記シーケンシャルな物理リソースブロックの隣接するブロックは複数の群に配列され、該移動通信装置は、
該移動通信装置に配分された１つ又は複数の仮想リソースブロックを特定するデータを受信する手段と、
基地局との通信に使用される物理リソースブロックを決定するために、各配分された仮想リソースブロックを、所定のマッピングデータを使用して、間隔を置かれた複数の前記物理リソースブロックにマッピングする手段と、
を備え、
前記受信される前記データは、サブフレームの第１部分に使用される物理リソースブロックのインデックスを表し、
前記所定のマッピングデータの少なくとも一部分は、前記サブフレームの第１部分と異なる時間のサブフレームの部分のために使用される物理リソースブロックのロケーションに関する方程式を定義する、
移動通信装置。
【請求項２０】
前記所定のマッピングデータは、前記仮想リソースブロックたる物理リソースブロックの数を関数で示して前記間隔を規定する、請求項１９に記載の移動通信装置。
【請求項２１】
前記所定のマッピングデータの少なくとも一部分は、前記間隔に関する方程式を規定する、請求項１９又は２０に記載の移動通信装置。
【請求項２２】
前記間隔に関する前記方程式は、
【数１６】
0005534258.tif 000058
であり、ただし、
【数１７】
0005534258.tif 000059
であり、ｇａｐは前記間隔、Ｐは各群内の物理リソースブロック数、Ｎｄは前記仮想リソースブロックが表す物理リソースブロック数、
【数１８】
0005534258.tif 000060
は前記シーケンシャルな物理リソースブロックの数を示し、
【数１９】
0005534258.tif 000061
は床関数であり、
【数２０】
0005534258.tif 000062
は天井関数である、請求項２１に記載の移動通信装置。
【請求項２３】
次なる物理リソースブロックの前記ロケーションに関する前記方程式は、
ＩＰＲＢ＝（ｘ＋ｇａｐ) ｍｏｄ ２＊ｇａｐ
であり、ただし、ＩＰＲＢは前記次なる物理リソースブロックのインデックス、ｘは前記サブフレームの第１部分に使用される物理リソースブロックの前記インデックス、ｇａｐは前記間隔である、請求項１９ないし２２の何れか一項に記載の移動通信装置。
【請求項２４】
前記所定のマッピングデータは、前記マッピングする際に、前記マッピングされた物理リソースブロック間の前記間隔が、各群内の物理リソースブロック数の二乗の整数倍となるようなマッピングデータである、請求項１９ないし２３の何れか一項に記載の移動通信装置。
【請求項２５】
シーケンシャルな物理リソースブロックに配列された複数のサブキャリアを使用する通信システムであって、前記シーケンシャルな物理リソースブロックの隣接するブロックは複数の群に配列され、
該通信システムは基地局と移動通信装置を含み、
該基地局は、
前記移動通信装置に配分するための少なくとも１つの仮想リソースブロックを決定する手段と、
各配分した仮想リソースブロックを特定するデータを前記移動通信装置にシグナリングする手段と、
前記移動通信装置との通信に使用する前記物理リソースブロックの決定するために、各配分した仮想リソースブロックを、所定のマッピングデータを使用して、間隔を置かれた複数の物理リソースブロックにマッピングする手段と、
を備え、
前記シグナリングされる前記データは、サブフレームの第１部分に使用される物理リソースブロックを表し、
前記所定のマッピングデータの少なくとも一部分は、前記サブフレームの第１部分と異なる時間のサブフレームの部分のために使用される物理リソースブロックのロケーションに関する方程式を定義する、
該移動通信装置は、
前記基地局からシグナリングされる各分配された仮想リソースブロックを特定する前記データを受信する手段と、
前記基地局との通信に使用する物理リソースブロックを決定するために、各分配された仮想リソースブロックを、所定のマッピングデータを使用して、間隔を置かれた複数の前記物理リソースブロックにマッピングする手段と、
を備える、
通信システム。
【発明の詳細な説明】
【技術分野】
【０００１】
本発明は、通信システム内のリソース配分に関する。本発明は、限定ではないが特に、直交周波数分割多重接続（ＯＦＤＭＡ）通信システムにおける仮想リソースブロック（ＶＲＢ）の配分に関する。
【０００２】
本出願は、２００８年２月５日付けで出願された、英国特許出願第０８０２１１７．２号に基づき、該特許出願からの優先権の利益を主張し、その開示は、参照によりその全体が本明細書に援用される。
【背景技術】
【０００３】
ＯＦＤＭＡ及びシングルキャリアＦＤＭＡは、３ＧＰＰ（第３世代移動通信システムの将来の発展を見据えた標準化コラボーレーション）において現在研究されているＥ−ＵＴＲＡ無線インタフェースに対するダウンリンク及びアップリンクの多重アクセス方式として選択されている。Ｅ−ＵＴＲＡシステムの下で、高効率且つ高速なリンクアダプテーションを可能とすると共に、最大のマルチユーザ・ダイバーシチ利得を達成するために、多数の移動電話と通信する基地局は、（帯域幅に依存して）時間／周波数リソースの総量を、なるべく多くの同時ユーザに配分する。各移動電話に配分されるリソースは移動電話と基地局との間の瞬時チャネル状態に基づいており、移動電話によってモニタリングされる制御チャネルを通じて通知される。
【発明の概要】
【発明が解決しようとする課題】
【０００４】
周波数ダイバーシティの利点を生かすために、特定の移動電話に配分される時間周波数リソースが、その装置によってサポートされる帯域幅にわたって分散して配分される。
【０００５】
周波数ダイバーシティを活用するために、サポート帯域幅にわたってリソースを配分する効率的なメカニズムが必要とされている。
【課題を解決するための手段】
【０００６】
本発明の一態様によれば、動作帯域幅にわたってシーケンシャルな物理リソースブロックに配列された複数のサブキャリアを使用する通信システムにおいてリソースを配分する方法であって、上記シーケンシャルな物理リソースブロックの隣接するブロックは複数の群に配列され、該方法は、移動通信装置に配分するための少なくとも１つの仮想リソースブロックを決定し、仮想リソースブロックを特定するためのデータを上記移動通信装置にシグナリングし、通信に使用される物理リソースブロックを決定するために、配分された仮想リソースブロックを、マッピングデータを使用して、間隔を置かれた複数の物理リソースブロック上にマッピングすること、を含み、前記シグナリングされる前記データは、サブフレームの第１部分に使用される物理リソースブロックを表し、 前記所定のマッピングデータの少なくとも一部分は、前記サブフレームの第１部分と異なる時間のサブフレームの部分のために使用される物理リソースブロックのロケーションに関する方程式を定義する、方法が提供される。
【０００７】
本発明の別の態様では、シーケンシャルな物理リソースブロックに配列された複数のサブキャリアを使用する通信システムにおいて動作する移動通信装置によって実施される方法であって、上記シーケンシャルな物理リソースブロックの隣接するブロックは複数の群に配列され、該方法は、移動通信装置に配分された１つ又は複数の仮想リソースブロックを特定するデータを受信し、基地局との通信に使用される物理リソースブロックを決定するために、各配分された仮想リソースブロックを、所定のマッピングデータを使用して、間隔を置かれた複数の物理リソースブロック上にマッピングすること、を含み、前記受信される前記データは、サブフレームの第１部分に使用される物理リソースブロックのインデックスを表し、 前記所定のマッピングデータの少なくとも一部分は、前記サブフレームの第１部分と異なる時間のサブフレームの部分のために使用される物理リソースブロックのロケーションに関する方程式を定義する、方法が提供される。
【０００８】
本発明の別の態様では、シーケンシャルな物理リソースブロックに配列された複数のサブキャリアを使用する通信システムにおいて動作する移動通信装置であって、上記シーケンシャルな物理リソースブロックの隣接するブロックは複数の群に配列され、該移動通信装置は、該移動通信装置に配分された１つ又は複数の仮想リソースブロックを特定するデータを受信する手段と、基地局との通信に使用される物理リソースブロックを決定するために、各配分された仮想リソースブロックを、所定のマッピングデータを使用して、間隔を置かれた複数の物理リソースブロックにマッピングする手段と、を備え、前記受信される前記データは、サブフレームの第１部分に使用される物理リソースブロックのインデックスを表し、前記所定のマッピングデータの少なくとも一部分は、前記サブフレームの第１部分と異なる時間のサブフレームの部分のために使用される物理リソースブロックのロケーションに関する方程式を定義する、移動通信装置が提供される。
【０００９】
本発明の別の態様では、シーケンシャルな物理リソースブロックに配列された複数のサブキャリアを使用する通信システムにおいて動作する通信装置によって実施される方法であって、上記シーケンシャルな物理リソースブロックの隣接するブロックは複数の群に配列され、該方法は、１つ又は複数の配分された仮想リソースブロックを特定するデータを取得すること、及び通信に使用される物理リソースブロックを決定するために、各配分された仮想リソースブロックを、所定のマッピングデータを使用して、間隔を置かれた複数の物理リソースブロック上にマッピングすること、を含み、前記配分された仮想リソースブロックを特定する前記データは、サブフレームの第１部分に使用される物理リソースブロックを表し、前記所定のマッピングデータの少なくとも一部分は、前記サブフレームの第１部分と異なる時間のサブフレームの部分のために使用される物理リソースブロックのロケーションに関する方程式を定義する、方法が提供される。
【００１０】
１つの実施の形態では、所定のマッピングデータは、間隔を、仮想リソースブロックによって表される物理リソースブロック数の関数となるように規定する。この実施の形態又は別の実施の形態では、間隔は、上記シーケンシャルな物理リソースブロックの数の関数であり得る。  
また、上記マッピングデータは、上記マッピングする際に、マッピングされた物理リソースブロック間の間隔が、各群内の物理リソースブロック数の二乗の整数倍となるようなマッピングデータであり得る。
【００１１】
別の実施の形態では、所定のマッピングデータは、間隔のための方程式、たとえば、
【数１】
0005534258.tif 000002
を表し、ただし、
【数２】
0005534258.tif 000003
であり、ｇａｐは間隔、Ｐは各群内の物理リソースブロック数、Ｎｄは仮想リソースブロックが表す物理リソースブロック数、
【数３】
0005534258.tif 000004
はシーケンシャルな物理リソースブロックの数、
【数４】
0005534258.tif 000005
は床関数であり、
【数５】
0005534258.tif 000006
は天井関数である。所定のマッピングデータは、たとえば、参照テーブルを定義することができ、該参照テーブル内に、上記の方程式の結果及び／又は他のパラメータを、該方程式を直接適用する必要なく迅速に参照するために記憶することができる。
【００１２】
別の実施の形態では、シグナリングされるデータは、サブフレームの第１部分に使用される物理リソースブロックのインデックスに相当する配分された仮想リソースブロックのインデックスを表す。所定のマッピングデータは、サブフレームの次なる部分のために使用される次なる物理リソースブロックのロケーションに関する方程式、たとえば、
ＩＰＲＢ＝（ｘ＋（ｑ−１）＊ｇａｐ）ｍｏｄ Ｎｄ＊ｇａｐ
を規定してもよい。ただし、ＩＰＲＢは次なる物理リソースブロックのインデックス、ｘはサブフレームの第１部分に使用される物理リソースブロックのインデックス、ｇａｐは間隔、Ｎｄは仮想リソースブロックが表す物理リソースブロック数、ｑはサブフレームの第２部分に関して２に等しくまたサブフレームの第３部分に関して３に等しい。
【００１３】
本発明のこれらの態様及び様々な他の態様は、実施形態の以下の詳細な説明から明らかとなる。詳細な説明は例示としてのみ与えられ、添付の図面を参照して説明される。
【図面の簡単な説明】
【００１４】
【図１】電話網に接続されている基地局と通信する多数のユーザ移動（セルラ）電話を含む通信システムを概略的に示す図である。
【図２】１０ＭＨｚの通信帯域幅が、複数の物理リソースブロック、リソースブロック群、及びリソースブロック群サブセットにどのように配列されるかを示す図である。
【図３】図１に示す基地局の主要構成要素を示すブロック図である。
【図４Ａ】２０ＭＨｚ帯域内の分散された物理リソースブロック対を、対応する仮想ブロック上にマッピングすることができる様式を示す図である。
【図４Ｂ】２０ＭＨｚ帯域内の分散された物理リソースブロックの三つ組を、対応する仮想ブロック上にマッピングすることができる様式を示す図である。
【図５】図３に示す基地局の一部を成すリソース配分モジュール及びマッピングモジュールによって実行される処理を示すフローチャートである。
【図６】図１に示す移動電話のうちの１つの主要構成要素を示すブロック図である。
【図７】図６に示す移動電話の一部を成すリソース決定モジュール及びマッピングモジュールによって実行される主要処理ステップを示すフローチャートである。
【発明を実施するための形態】
【００１５】
概略
図１は、移動電話３−０、３−１及び３−２のユーザが他のユーザ（図示せず）と基地局５及び電話網７を介して通信することができる移動（セルラ）通信システム１を概略的に示している。この実施形態において、基地局５は、移動電話３に送信されるデータが複数のサブキャリアに変調される直交周波数分割多重接続（ＯＦＤＭＡ）技法を使用する。移動電話３のサポート帯域幅及び移動電話３に送信されるデータ量に依拠して、各移動電話３に異なるサブキャリアが配分される。この実施の形態において、基地局の帯域幅にわたって動作する移動電話３の一様な分布を維持すべく、基地局５は、データをそれぞれの移動電話３に搬送するのに使用されるサブキャリアも配分する。これらの目的を達成するため、基地局５は、各移動電話３にサブキャリアを動的に配分すると共に、スケジューリングされた移動電話３のそれぞれに各時点（サブフレーム）に対する配分をシグナリングする。
【００１６】
図２は、帯域幅をどのように複数のリソースブロック、リソースブロック群、及びリソースブロック群サブセットに概念的に分割することができるかを示している。図２において、サブキャリアは、データ伝送に使用されるサポート帯域幅の一部にわたって、連続したシーケンシャルな物理リソースブロック（ＰＲＢ）（それぞれが同じ数のサブキャリアを含む）で配列されている。
【００１７】
物理リソースブロックは、複数の連続リソースブロック群（ＲＢＧ）にグループ分けされる。可能な場合、各群は、ＲＢＧサイズとして既知の等しい数のリソースブロックを含むが、連続ブロック数が所望のＲＢＧサイズで整除できない場合、最後の群はより少ないリソースブロックを含む場合がある。
【００１８】
たとえば、図２において、サポート帯域幅は１０ＭＨｚであり、そのうち９ＭＨｚがデータ伝送に使用される。９ＭＨｚは５０個のリソースブロックに分割される。５０個のリソースブロックは、１７個のリソースブロック群にグループ分けされ、それらのリソースブロック群の最初の１６個（ＲＢＧ０〜ＲＢＧ１５）のそれぞれは３つのリソースブロック（ＲＢＧサイズ＝３）を含み、最後のブロック群（ＲＢＧ１６）は２つのリソースブロックを含む。
【００１９】
物理リソースブロックは、帯域幅にわたって連続的にインデックス付けされる（１０ＭＨｚの場合、通常０〜４９）。
【００２０】
リソースブロック群は、複数のサブセットにさらに配列され、該複数のサブセットのそれぞれは、帯域幅にわたって均等に分散された複数のリソースブロック群を含む。特定の帯域幅に関するＲＢＧサブセット数、及びサブセット内のリソースブロック群間の間隔は、共にＲＢＧサイズに等しい。
【００２１】
例示のために、図２の例では、１７個のリソースブロック群が３（すなわち、１０ＭＨｚの場合のＲＢＧサイズ）個の群に配分されている。第１のサブセットは、第１の群、第４の群、第７の群、第１０の群、第１３の群、及び第１６の群を含む。同様に、第２のサブセットは、第２の群、第５の群、第８の群、第１１の群、第１４の群、及び第１７の群を含み、第０のサブセットは残りの群を含む。
【００２２】
同様の手法が、様々なサポート帯域幅を分割するのに使用される。様々なサポート帯域幅に関するＲＢＧサイズ（及びしたがってサブセットの数）を以下の表に示す。
【００２３】
【表１】
0005534258.tif 000007
【００２４】
ここで、「Ｐ」はＲＢＧサイズ（及びしたがってＲＢＧサブセットの数）であり、
【数６】
0005534258.tif 000008
は帯域幅がダウンリンク送信のための分割リソースブロック数である。
【００２５】
以下でより詳細に説明されるように、この実施形態では、基地局５が、仮想リソースブロックを特定するデータをシグナリングすることによって、各移動電話３に複数の物理リソースブロックを配分する。仮想リソースブロックは、記憶されているマッピングデータ（該マッピングデータは、たとえば、方程式及び／又は参照テーブルを規定できる）を使用して複数の物理リソースブロック上にマッピングされる。マッピングデータは、マッピングされた物理リソースブロックが、動作帯域幅にわたって間隔を置かれ、且つ全て、同じＲＢＧサブセットに属するようなマッピングデータである。
【００２６】
基地局
図３は、本発明の一実施形態において使用される基地局５の主要構成要素を示すブロック図である。図示されるように、基地局５は、（上記で説明したサブキャリアを使用して）１つ又は複数のアンテナ２３を介して移動電話３に対して信号を送受信するように動作可能であると共に、ネットワークインタフェース２５を介して電話網７に対して信号を送受信するように動作可能である送受信機回路２１を備える。送受信機回路２１の動作は、メモリ２９内に記憶されているソフトウェアに従って、制御装置２７によって制御される。ソフトウェアは、特に、オペレーティングシステム３１及びリソース配分モジュール３３を備える。リソース配分モジュール３３は、移動電話３との通信において送受信機回路２１によって使用されるリソースを配分するように動作可能である。図３に示すように、リソース配分モジュール３３は、それぞれの移動電話とのデータ通信に配分された物理リソース上にリソース配分をマッピングするためのマッピングモジュール３５も備える。
【００２７】
この実施形態において、基地局のリソース配分モジュール３３は、サポート帯域幅内の異なる複数のロケーションからの連続していない物理リソースブロックを、少なくとも１つの分散仮想リソースブロック（ＤＶＲＢ）として移動電話に配分するように構成される。リソース配分モジュール３３のマッピングモジュール３５は、各分散仮想リソースブロックを、所定のマッピングを使用して、該分散仮想リソースブロックが表す実際の物理リソースブロック上にマッピングし、それによって配分された物理リソースを使用する通信を可能にするように構成される。
【００２８】
各分散仮想リソースブロックは、図４Ａに示すような２つの物理リソースブロック（ＤＶＲＢ対）又は図４Ｂに示すような３つの等間隔の物理リソースブロック（ＤＶＲＢ三つ組）を表す。
【００２９】
仮想リソースブロックが表す実際の物理リソースブロックは、該仮想リソースブロックが表す物理リソースブロック数Ｎｄ、サポート帯域幅内の物理リソースブロック数
【数７】
0005534258.tif 000009
及びサポート帯域幅のためのＲＢＧサイズ「Ｐ」に依拠する。
【００３０】
特定の移動電話に配分される物理リソースブロックのＤＶＲＢ対（Ｎｄ＝２）又はＤＶＲＢ三つ組（Ｎｄ＝３）は、サブフレームの第１部分の伝送に使用されるそのＤＶＲＢ対又はＤＶＲＢ三つ組の物理リソースブロックのインデックスに等しいインデックスを有する。サブフレームの第２部分の伝送に使用される仮想リソースブロックの物理リソースブロックは、規定の数の物理リソースブロックを含むギャップによって、第１部分から循環的に間隔を置かれる。ＤＶＲＢ三つ組の場合、サブフレームの第３部分の伝送に使用される仮想リソースブロックの物理リソースブロックは、第２部分から同じギャップだけ循環的に間隔を置かれる。Ｎｄ＝２の場合、循環間隔は、ギャップサイズの２倍に比例する。Ｎｄ＝３の場合、同様であるがギャップサイズの３倍に比例する循環間隔が当てはまる。
【００３１】
より詳細には、図４Ａに示すように、２つの物理リソースブロック（Ｎｄ＝２）を表す分散仮想リソースブロックについて、移動電話にＤＶＲＢ対ｘ２が割り当てられる場合、２つ（Ｎｄ個）の対応する物理リソースブロックが、物理リソースブロックインデックスｘ２及び（ｘ２＋ｇａｐ）ｍｏｄ ２＊ｇａｐに配置される。
【００３２】
同様に、３つの物理リソースブロック（Ｎｄ＝３）を表す分散仮想リソースブロックについて、移動電話にＤＶＲＢ三つ組ｘ３が割り当てられる場合、３つ（Ｎｄ個）の対応する物理リソースブロックが、物理リソースブロックインデックスｘ３、（ｘ３＋ｇａｐ）ｍｏｄ ３＊ｇａｐ、及び（ｘ３＋２＊ｇａｐ）ｍｏｄ ３＊ｇａｐに配置される。
【００３３】
ギャップは、特定の仮想リソースブロックの各物理リソースブロックが、該物理リソースブロックのそれぞれのリソースブロック群において同じ相対位置にあることを確実にするように規定される。さらに、ギャップは、特定のＤＶＲＢ対又はＤＶＲＢ三つ組の物理リソースブロックが全て、所与の移動電話に関して同じリソースブロック群サブセット内に配置されることを確実にするように規定される。しかしながら、この実施形態によれば、分散伝送を使用して、異なる移動電話が異なるサブセット内で配分されることが依然として可能であることに留意されたい。
【００３４】
これらの条件が満たされることを確実にするために、ギャップ値は、以下のように、ＲＢＧサイズの二乗（Ｐ２）の整数倍として規定される。
【００３５】
【数８】
0005534258.tif 000010
ただし、
【数９】
0005534258.tif 000011
である。
【００３６】
上記で定義したように、「Ｐ」はＲＢＧサイズ（及びしたがってＲＢＧサブセット数）である。Ｎｄは仮想リソースブロックが表す物理リソースブロック数であり、
【数１０】
0005534258.tif 000012
はサポート帯域幅内の物理リソースブロック数であり、
【数１１】
0005534258.tif 000013
は床関数、すなわちｒ以下の最も大きな整数であり、
【数１２】
0005534258.tif 000014
は天井関数、すなわちｑ以上の最も小さな整数である。
【００３７】
様々なシステム帯域幅に関してこの方程式によって規定されるギャップを以下の表に示す。
【００３８】
【表２】
0005534258.tif 000015
【００３９】
基地局５のリソース配分モジュール３３は、分散仮想リソースブロックを、範囲０〜Ｎｄ＊ｇａｐ−１内のインデックス値ｘとして各移動電話３に割り当てるように構成される。値ｘは、移動電話３がサブフレームの第１部分を送信すべき物理リソースブロックを指示する。上述したように、ｇａｐのオフセットをｘに適用することによって、サブフレームの第２部分（及びＮｄ＝３の場合は第３部分）を見つけることができる。
【００４０】
基地局５は、このインデックス値を、対応する分散仮想リソースブロックが配分される移動電話３にシグナリングするように構成される。分散仮想リソースブロックが表す物理リソースブロック数（Ｎｄ）も、通常、ブロードキャストチャネル上でシグナリングされる。
【００４１】
マッピングモジュール３５は、特定の移動電話３に配分された分散仮想リソースブロックを、サブフレームの各部分の通信に必要とされる実際の物理リソースブロック上にマッピングすると共に、基地局５を、特定された物理リソースブロックを使用してその移動電話３と通信するためにコンフィングして調整する。同様に、移動電話３は、インデックスｘ及び上記の方程式を使用して計算される（又は適切な参照テーブルから導出される）ｇａｐの値から、サブフレームの第１部分、第２部分、及び第３部分（Ｎｄ＝３の場合）を受信するのにいずれの物理リソースブロックを使用するべきかを決定するように構成される。
【００４２】
基地局５は、分散仮想リソースブロックの連続したブロックを所与の移動電話３に配分することもできる。この場合、割り当てられた分散仮想リソースブロックのそれぞれに、上記で説明した方法を適用することによって、対応する物理リソースブロックを取得することができる。連続した仮想リソースブロックの場合、これを、複数の別個の仮想リソースブロックとして、又は適切な関数、方程式、若しくは参照テーブルを使用して、配分された仮想リソースブロック上にマッピングすることができるデータをシグナリングすることによって、移動電話にシグナリングすることができる。
【００４３】
【数１３】
0005534258.tif 000016
の場合、
【数１４】
0005534258.tif 000017
のインデックスを有する物理リソースブロックは、分散伝送に使用されない。さらに、
【数１５】
0005534258.tif 000018
の場合、基地局５は、結果として条件
【数１６】
0005534258.tif 000019
が満たされない分散仮想リソースブロックを配分しない。
【００４４】
図４Ａ及び図４Ｂは、サポート帯域幅が２０ＭＨｚである場合の、Ｎｄ＝２及びＮｄ＝３の場合の例をそれぞれ示している。これらの図において、異なる網掛けは、分散伝送のための異なる移動電話に対する割当てを表している。図４Ａ及び図４Ｂに示す割当てから、Ｎｄ＝２及びＮｄ＝３について、特定の移動電話３に配分される全ての物理リソースブロックが、帯域幅の異なる部分において同じリソースブロック群サブセット内にあることが明らかである。
【００４５】
たとえば、図４Ａにおいて、Ｎｄ＝２の場合、１及び２とインデックス付けされた連続した分散仮想リソースブロックが単一の移動電話３に配分される。このため、移動電話３は、１及び２とインデックス付けされた物理リソースブロックを使用してサブフレームの第１部分を送信し、４９及び５０とインデックス付けされた物理リソースブロックを使用して第２部分を送信する。同様に、図４Ｂにおいて、Ｎｄ＝３の場合、３２とインデックス付けされた単一の分散仮想リソースブロックが移動電話３に配分される。この場合、移動電話３は、３２とインデックス付けされた物理リソースブロックを使用してサブフレームの第１部分を送信し、６４とインデックス付けされた物理リソースブロックを使用してサブフレームの第２部分を送信し、０とインデックス付けされた物理リソースブロックを使用してサブフレームの第３部分を送信する。
【００４６】
したがって、同じ方程式を、Ｎｄ＝２及びＮｄ＝３の双方について、ギャップサイズを決定するのに使用し、特定の分散仮想リソースブロックをマッピングする物理リソースブロックを効率的に決定することができると言う利点がある。しかしながら、分散仮想リソースブロックを物理リソースブロック上にマッピングするのに使用されるギャップサイズを、方程式の観点から説明したが、同じマッピングを実施するための任意の適切な方法を使用することができることが理解される。たとえば、基地局５（及び／又は移動電話３）を、ローカルメモリ領域内に記憶されている参照テーブル内の正確なギャップ値を参照するようにプログラミングすることができる。
【００４７】
より小さな帯域幅（たとえば１．４ＭＨｚ及び３ＭＨｚ）の場合、配分される分散仮想リソースブロックが、２つの物理リソースブロック（Ｎｄ＝２）上にマッピングされるもののみに制限され得ることが理解される。より大きな帯域幅の場合、２つ又は３つの物理リソースブロック（Ｎｄ＝２又はＮｄ＝３）を含む分散仮想リソースブロックを配分し得る。
【００４８】
リソース配分モジュール動作（基地局）
図５は、基地局５のリソース配分モジュール３３によって、マッピングモジュール３５と連携して実行される、現時点に対してスケジューリングされる、異なる移動電話３に対する分散仮想リソース配分を決定するための主要処理ステップを示すフローチャートである。図示されるように、ステップＳ１において、リソース配分モジュール３３は、特定の移動電話３に対する分散仮想リソースブロック配分を決定する。ステップＳ２において、配分モジュール３３は、配分された分散仮想リソースブロックのためのインデックス値「ｘ」を特定する。このインデックス値は、上述したように、サブフレームの第１部分の送信に使用される物理リソースブロックのインデックス値と同じである。ステップＳ３において、配分モジュール３３は、配分された仮想リソースブロックのインデックス値を、スケジューリングされる移動電話３にシグナリングする。ステップＳ４において、配分モジュール３３のマッピングモジュール３５は、上述したように、インデックス「ｘ」に全体的に適用される間隔（「ｇａｐ」）の値を決定することによって、配分された分散仮想リソースブロックが表す物理リソースブロックの決定を開始する。
【００４９】
配分された分散仮想リソースが表す物理リソースブロック数に依拠して、マッピングモジュールは、次に、通信のための実際の物理リソースを決定する。Ｎｄ＝２の場合、ステップＳ６において、マッピングモジュール３５は、サブフレームの第１部分のための物理リソースブロックを特定する。上述したように、これは、配分された仮想リソースブロックと同じインデックスを有する物理リソースブロックである。次に、ステップＳ７において、マッピングモジュール３５は、ステップＳ４において決定された間隔の値を適用することによって、サブフレームの第２部分のための物理リソースブロックを特定する。Ｎｄ＝３の場合、プロセスは、ステップＳ８において、インデックス値「ｘ」からサブフレームの第１部分のための物理リソースブロックが特定されるのと概ね同様である。ステップＳ９及びＳ１０において、ステップＳ４において決定された間隔を継続的に適用することによって、サブフレームの第２部分のための物理リソースブロック及び第３部分のための物理リソースブロックをそれぞれ特定する。
【００５０】
全ての配分されたリソースブロックが特定されると、ステップＳ１１において、リソース配分モジュール３３は、サブフレームの各部分に関して特定されたリソースブロックを使用する通信のために、基地局でのコンフィングを開始する。
【００５１】
移動電話
図６は、図１に示す移動電話３のそれぞれの主要構成要素を概略的に示している。図示されるように、移動電話３は、１つ又は複数のアンテナ７３を介して基地局５に対して信号を送受信するよう動作可能な送受信機回路７１を備える。図示されるように、移動電話３は、移動電話３の動作を制御し、送受信機回路７１、並びに、ラウドスピーカ７７、マイクロフォン７９、ディスプレイ８１、及びキーパッド８３に接続されている制御装置７５も備える。制御装置７５は、メモリ８５内に記憶されているソフトウェア命令に従って動作する。図示されるように、これらのソフトウェアの命令は、特に、オペレーティングシステム８７及びリソース決定モジュール８９を含む。リソース決定モジュール８９は、基地局５からシグナリングされたリソース配分データを復号して、サブフレームの特定の部分に対する、その移動電話の物理リソースブロック配分を決定するように動作可能なマッピングモジュール９１を備える。
【００５２】
リソース決定モジュール動作（移動電話）
図７は、移動電話３のリソース決定モジュール８９によって、マッピングモジュール９１と連携して実行される、該移動電話３に配分される分散仮想リソースを決定するための主要処理ステップを示すフローチャートである。図示されるように、ステップＳ１２において、リソース決定モジュール８９が、基地局によってシグナリングされる分散仮想リソースブロック配分を受信する。ステップＳ１３において、リソース決定モジュール８９が、配分された分散仮想リソースブロックのためのインデックス値「ｘ」を導出する。このインデックス値は、上述したように、サブフレームの第１部分の送信に使用される物理リソースブロックのインデックス値と同じである。ステップＳ１４において、決定モジュール８９のマッピングモジュール９１は、上述したように、インデックス「ｘ」に全体的に適用される間隔（「ｇａｐ」）の値を決定することによって、配分された分散仮想リソースブロックが表す物理リソースブロックの決定を開始する。
【００５３】
配分された分散仮想リソースが表す物理リソースブロック数に依拠して、マッピングモジュール９１は、次に、通信のための実際の物理リソースを決定する。Ｎｄ＝２の場合、ステップＳ１６において、マッピングモジュール９１は、サブフレームの第１部分のための物理リソースブロックを特定する。上述したように、これは、配分された仮想リソースブロックと同じインデックスを有する物理リソースブロックである。次に、ステップＳ１７において、マッピングモジュール９１は、ステップＳ１４において決定された間隔の値を適用することによって、サブフレームの第２部分のための物理リソースブロックを特定する。Ｎｄ＝３の場合、プロセスは概ね同様であり、ステップＳ１８において、インデックス値「ｘ」からサブフレームの第１部分のための物理リソースブロックが特定される。ステップＳ１９及びＳ２０において、ステップＳ１４において決定された間隔を継続的に適用することによって、サブフレームの第２部分のための物理リソースブロック及び第３部分のための物理リソースブロックをそれぞれ特定する。
【００５４】
連続した仮想リソースブロックが配分されている場合、リソース決定モジュール８９は、該連続したブロック内の仮想リソースブロックのそれぞれについて、ステップＳ１３〜Ｓ２１のプロセスを繰り返す。
【００５５】
全ての配分されたリソースブロックが特定されると、ステップＳ２１において、リソース決定モジュール９１は、サブフレームの各部分に関して特定されたリソースブロックを使用する通信のために、移動電話でのコンフィングを開始する。
【００５６】
変更及び代替
種々の実施形態について上記で詳細に説明した。当業者であれば認識できるように、上記の実施例に具体化された発明の恩恵を受けつつ、これらの実施形態に対して、多数の変更及び代替をなし得る。ここで、例示として、これらの変更及び代替のうちの幾つかについてのみ説明する。
【００５７】
上記の実施形態において、上記で説明したリソース配分技法が採用された、移動電話に基づく通信システムを説明した。当業者であれば理解できるように、このようなリソース配分データのシグナリングは、複数のサブキャリアを使用する任意の通信システムにおいて採用することができる。特に、上記で説明したシグナリング技法は、データの搬送に電磁信号又は音響信号を使用する有線又は無線による通信において使用することができる。一般的な場合においては、基地局は、多数の異なるユーザ装置と通信する通信ノードに置き換えられるであろう。たとえば、本明細書全体を通じて、用語「移動電話」が使用されているが、説明される方法及び機器は、任意の移動通信装置、たとえば携帯情報端末、ラップトップコンピュータ、ウェブブラウザ等に等しく適用可能である。
【００５８】
上記の実施形態において、基地局は、２０ＭＨｚの動作帯域幅を有すると想定され、各リソースブロックは１２個のサブキャリアを含んでいた。当業者であれば理解するように、本発明は、この特定のサイズの帯域幅又はリソースブロックサイズにも、上述したサブキャリアの周波数間隔にも限定されない。
【００５９】
上記で説明した符号化技法において、配分された仮想リソースブロックと、該仮想リソースブロックが表す物理リソースブロックとの間のマッピングが定義された。当業者であれば理解できるように、このマッピングは、方程式を使用するか、又は参照テーブルを使用するような、任意の適切な方法で定義することができる。方程式の使用によって、参照テーブルを基地局５及び移動電話３のそれぞれの双方に記憶する必要がなくなるため、方程式の使用が好ましい。上記で説明した方程式が、該方程式の単純性に起因して好まれるが、他の方程式を使用してこのマッピングを定義してもよい。
【００６０】
上記の実施形態において、複数の連続した仮想リソースブロックの配分が説明された。当業者であれば理解するように、複数の連続していない仮想リソースブロックも同様に配分することができる。
【００６１】
上記の実施形態において、多数のソフトウェアモジュールについて説明した。当業者であれば理解できるように、ソフトウェアモジュールは、コンパイル形式又は非コンパイル形式で提供されてもよく、基地局又は移動電話に、コンピュータ網を介した信号として供給されてもよく、又は記録媒体上において供給されてもよい。さらに、このソフトウェアの一部又は全部によって実施される機能は、１つ又は複数の専用ハードウェア回路を使用して実施されてもよい。しかしながら、ソフトウェアモジュールの使用によって、基地局５及び移動電話３の機能をアップデートするために該基地局５及び移動電話３をアップデートすることが容易になるため、ソフトウェアモジュールの使用が好ましい。
【００６２】
以下は、現在提案されている３ＧＰＰ ＬＴＥ標準規格において本発明を実施することができる方法の詳細な説明である。様々な特徴が、必須又は必要であるものとして説明されるが、これは提案されている３ＧＰＰ ＬＴＥ標準規格にのみ、たとえば該標準規格によって課される他の要件に起因して当てはまる場合がある。したがって、これらの記述は、本発明をいかなる形においても限定するものとして解釈されるべきではない。
【００６３】
１ 序論
前回の会議ＲＡＮ１＃５１Ｂｉｓにおいて、ＤＶＲＢ対をマッピングするＮｄ ＰＲＢ対の割当てに関する幾つかの合意に達した（［７］参照）。しかしながら、正確なマッピングの詳細には検討の余地がある。
【００６４】
この寄稿において、ＤＶＲＢを、Ｎｄ＝２及びＮｄ＝３でＰＲＢにマッピングするメカニズムを論考する。
【００６５】
２ ＤＶＲＢとＰＲＢとのマッピング
分散伝送は、Ｎｄ＝２又はＮｄ＝３のいずれかを使用することができる。
【００６６】
Ｎｄ＝２について、ＵＥがＤＶＲＢ対ｘを割り当てられている場合、マッピングされるＮｄ ＰＲＢは、ＰＲＢインデックスｘ及び（ｘ＋ｇａｐ）ｍｏｄ ２＊ｇａｐに配置されることを提案する。同様に、Ｎｄ＝３について、ＵＥがＤＶＲＢ三つ組ｘを割り当てられている場合、Ｎｄ ＰＲＢは、ＰＲＢインデックスｘ、（ｘ＋ｇａｐ）ｍｏｄ ３＊ｇａｐ、及び（ｘ＋２＊ｇａｐ）ｍｏｄ ３＊ｇａｐに配置される。ｇａｐの値は、Ｎｄ及びシステム帯域幅内のＰＲＢの総数
【数１７】
0005534258.tif 000020
の関数である。
【００６７】
前回の会議ＲＡＮ１＃５１Ｂｉｓでは、所与のＵＥに関して、ＤＶＲＢ対又はＤＶＲＢ三つ組に関連付けられるＮｄ ＰＲＢを１つのリソースブロック群（ＲＢＧ）サブセット内に保持するという要望があった。（しかしながら、分散伝送を使用して、異なるＵＥが異なるＲＢＧサブセットにおいて配分されることも依然として可能でなくてはならない）。
【００６８】
【表３】
0005534258.tif 000021
【００６９】
その要望／要件に基づいて、ギャップ値は、ＤＶＲＢ対又はＤＶＲＢ三つ組を１つのＲＢＧサブセット内に保持するように慎重に計算される必要がある。特に、ギャップは、Ｐが［８］において与えられるＲＢＧサイズである場合、Ｐ２の倍数でなくてはならない。ギャップは以下のように計算することができる。
【００７０】
【数１８】
0005534258.tif 000022
ただし、
【数１９】
0005534258.tif 000023
である。これは付録２に示される。
【００７１】
【表４】
0005534258.tif 000024
【００７２】
ｅＮｏｄｅＢは、ＤＶＲＢを、範囲０〜Ｎｄ＊ｇａｐ−１内の値ｘとして各ＵＥに割り当てる。値ｘは、ＵＥがサブフレームの第１部分を送信すべきＰＲＢを指示する。ＵＥは、上述したように、ｇａｐのオフセットをｘに適用することによって、サブフレームの第２部分（及びＮｄ＝３の場合は第３部分）を送信するのに使用されるＰＲＢを見つける。
【００７３】
ｅＮｏｄｅＢは、ＤＶＲＢの連続したブロックを所与のＵＥに配分することもできる。この場合、割り当てられた各ＤＶＲＢに、上記で説明した方法を適用することによって、対応するＰＲＢを取得することができる。
【００７４】
【数２０】
0005534258.tif 000025
の場合、
【数２１】
0005534258.tif 000026
のＰＲＢは、分散伝送に使用することができない。
【００７５】
【数２２】
0005534258.tif 000027
の場合、ｅＮｏｄｅＢは、結果として条件
【数２３】
0005534258.tif 000028
が満たされないＤＶＲＢを配分してはならない。
【００７６】
付録３及び付録４は、２０ＭＨｚのシステム帯域幅の場合の、Ｎｄ＝２及びＮｄ＝３の場合の例をそれぞれ示している。これらの図において、異なる色は、分散伝送のための異なるＵＥの割当てを示している。これらの割当てから、特定のＵＥに配分される全てのＰＲＢが、Ｎｄ＝２／３の異なる部分において同じＲＢＧサブセット内にあることが明らかである。
【００７７】
【表５】
0005534258.tif 000029
【００７８】
【表６】
0005534258.tif 000030
【００７９】
３ 結論
この寄稿において、ＤＶＲＢを、Ｎｄ＝２及びＮｄ＝３でＰＲＢにマッピングするためのメカニズムを論考した。１つのＵＥについて、ＤＶＲＢ対又はＤＶＲＢ三つ組を１つのＲＢＧサブセット内に保持すると共に、分散伝送に割当て可能なＲＢ数を最大にするために、ギャップ値を計算するための以下の方程式を提案する。
【００８０】
【数２４】
0005534258.tif 000031
ただし、
【数２５】
0005534258.tif 000032
であり、ＰはＲＢＧサイズである。
【００８１】
全ての帯域幅についてＮｄ＝２を使用し、５ＭＨｚ〜２０ＭＨｚの帯域幅にＮｄ＝３を使用することも提案する。
【００８２】
４ 参考
［１］R1-070874,"Downlink Distributed Resource Block Mapping", NEC, NTT DoCoMo.
［２］R1-072946,"RB-level Distributed Transmission Method for Shared Data Channel in E-UTRA Downlink", NTT DoCoMo, Fujitsu, KDDI, Sharp, Toshiba Corporation.
［３］R1-070881,"Uplink Resource Allocation for EUTRA" NEC Group, NTT DoCoMo.
［４］R1-072826,"DL Distributed Resource Signalling for EUTRA", NEC
［５］R1-074602,"Downlink DVRB email reflector summary", Motorola 
［６］R1-075056,"Way forward Resource allocation for Compact DL grant",NEC, et al.
［７］R1-080571,"Outcome from ad hoc session on DVRB", Motorola
［８］TS 36.213 V8.1.0
【００８３】
また、本発明の上記の態様及び様々な他の態様は、以下のようにも記載されうる。尚、以下の付記にかかる記述も本発明をいかなる形においても限定するものとして解釈されるべきではない。
［付記１］
シーケンシャルな物理リソースブロックに配列された複数のサブキャリアを使用する通信システムのリソース配分方法であって、前記シーケンシャルな物理リソースブロックの隣接するブロックは複数の群に配列され、該方法は、基地局において、
移動通信装置に配分するための少なくとも１つの仮想リソースブロックを決定し、
各仮想リソースブロックを特定するデータを前記移動通信装置にシグナリングし、
前記移動通信装置との通信に使用される物理リソースブロックを決定するために、各配分された仮想リソースブロックを、所定のマッピングデータを使用して、間隔を置かれた複数の前記シーケンシャルな物理リソースブロック上にマッピングすること、
を含み、
前記所定のマッピングデータは、前記マッピングする際に、前記マッピングされた物理リソースブロック間の前記間隔が、各群内の物理リソースブロック数の二乗の整数倍となるようなマッピングデータである、方法。
［付記２］
前記所定のマッピングデータは、前記仮想リソースブロックたる物理リソースブロックの数を関数で示して前記間隔を規定する、付記１に記載の方法。
［付記３］
前記所定のマッピングデータは、前記シーケンシャルな物理リソースブロックの数を関数で示して前記間隔を規定する、付記１又は２に記載の方法。
［付記４］
前記所定のマッピングデータの少なくとも一部分は、前記間隔に関する方程式を規定する、付記１〜３のいずれか一項に記載の方法。
［付記５］
前記間隔のための前記方程式は、
【数２６】
0005534258.tif 000033
であり、ただし、
【数２７】
0005534258.tif 000034
であり、ｇａｐは前記間隔、Ｐは各群内の物理リソースブロック数、Ｎｄは仮想リソースブロックが表す物理リソースブロック数、
【数２８】
0005534258.tif 000035
は前記シーケンシャルな物理リソースブロックの数を示し、
【数２９】
0005534258.tif 000036
は床関数であり、
【数３０】
0005534258.tif 000037
は天井関数である、付記４に記載の方法。
［付記６］
前記所定のマッピングデータの少なくとも一部分は、参照テーブルを規定する、付記１〜５のいずれか一項に記載の方法。
［付記７］
前記シグナリングされるデータは、前記配分された仮想リソースブロックのインデックスを表す、付記１〜６のいずれか一項に記載の方法。
［付記８］
前記シグナリングされるデータは、サブフレームの第１部分に使用される物理リソースブロックを表す、付記１〜７のいずれか一項に記載の方法。
［付記９］
前記所定のマッピングデータの少なくとも一部分は、前記サブフレームの次なる部分のために使用される次なる物理リソースブロックのロケーションに関する方程式を定義する、付記８に記載の方法。
［付記１０］
前記次なる物理リソースブロックの前記ロケーションに関する方程式は、
ＩＰＲＢ＝（ｘ＋（ｑ−１）＊ｇａｐ）ｍｏｄ Ｎｄ＊ｇａｐ
であり、ただし、ＩＰＲＢは前記次なる物理リソースブロックのインデックス、ｘは前記サブフレームの第１部分に使用される物理リソースブロックの前記インデックス、ｇａｐは前記間隔、Ｎｄは前記仮想リソースブロックが表す物理リソースブロックの数、ｑは前記サブフレームの第２部分に関して２に等しくまた前記サブフレームの第３部分に関して３に等しい、付記９に記載の方法。
［付記１１］
シーケンシャルな物理リソースブロックに配列された複数のサブキャリアを使用する通信システムにおいて動作する移動通信装置によって実施される方法であって、前記シーケンシャルな物理リソースブロックの隣接するブロックは複数の群に配列され、該方法は、
前記移動通信装置に配分された１つ又は複数の仮想リソースブロックを特定するデータを受信すること、及び
基地局との通信に使用される物理リソースブロックを決定するために、各配分された仮想リソースブロックを、所定のマッピングデータを使用して、間隔を置かれた複数の物理リソースブロック上にマッピングすること、
を含み、
前記所定のマッピングデータは、前記マッピングする際に、前記マッピングされた物理リソースブロック間の前記間隔が、各群内の物理リソースブロック数の二乗の整数倍となるようなマッピングデータである、方法。
［付記１２］
前記所定のマッピングデータは、前記仮想リソースブロックたる物理リソースブロックの数を関数で示して前記間隔を規定する、付記１１に記載の方法。
［付記１３］
前記所定のマッピングデータは、前記シーケンシャルな物理リソースブロックの数を関数で示して前記間隔を規定する、付記１１又は１２に記載の方法。
［付記１４］
前記所定のマッピングデータの少なくとも一部分は、前記間隔に関する方程式を規定する、付記１１〜１３のいずれか一項に記載の方法。
［付記１５］
前記間隔に関する前記方程式は、
【数３１】
0005534258.tif 000038
であり、ただし、
【数３２】
0005534258.tif 000039
であり、ｇａｐは前記間隔、Ｐは各群内の物理リソースブロック数、Ｎｄは前記仮想リソースブロックが表す物理リソースブロック数、
【数３３】
0005534258.tif 000040
は前記シーケンシャルな物理リソースブロックの数を示し、
【数３４】
0005534258.tif 000041
は床関数であり、
【数３５】
0005534258.tif 000042
は天井関数である、付記１４に記載の方法。
［付記１６］
前記所定のマッピングデータの少なくとも一部分は、参照テーブルを規定する、付記１１〜１５のいずれか一項に記載の方法。
［付記１７］
前記受信されるデータは、前記配分された仮想リソースブロックのインデックスを表す、付記１１〜１６のいずれか一項に記載の方法。
［付記１８］
前記受信されるデータは、サブフレームの第１部分に使用される物理リソースブロックのインデックスを表す、付記１１〜１７のいずれか一項に記載の方法。
［付記１９］
前記所定のマッピングデータの少なくとも一部分は、前記サブフレームの次なる部分のために使用される次なる物理リソースブロックのロケーションに関する方程式を規定する、付記１８に記載の方法。
［付記２０］
次なる物理リソースブロックの前記ロケーションに関する前記方程式は、
ＩＰＲＢ＝（ｘ＋（ｑ−１）＊ｇａｐ）ｍｏｄ Ｎｄ＊ｇａｐ
であり、ただし、ＩＰＲＢは前記次なる物理リソースブロックのインデックス、ｘは前記サブフレームの第１部分に使用される物理リソースブロックの前記インデックス、ｇａｐは前記間隔、Ｎｄは前記仮想リソースブロックが表す物理リソースブロック数、ｑは前記サブフレームの第２部分に関して２に等しくまた前記サブフレームの第３部分に関して３に等しい、付記１９に記載の方法。
［付記２１］
シーケンシャルな物理リソースブロックに配列された複数のサブキャリアを使用する通信システムにおいて使用するための基地局であって、前記シーケンシャルな物理リソースブロックの隣接するブロックは複数の群に配列され、該基地局は、
移動通信装置に配分するための少なくとも１つの仮想リソースブロックを決定する手段と、
各仮想リソースブロックを特定するデータを前記移動通信装置にシグナリングする手段と、
各配分された仮想リソースブロックを、所定のマッピングデータを使用して、間隔を置かれた複数の物理リソースブロックにマッピングし、前記移動通信装置との通信に使用される前記物理リソースブロックを決定する手段と、
を備え、
前記所定のマッピングデータは、前記マッピングする手段によって、前記マッピングされた物理リソースブロック間の前記間隔が、各群内の物理リソースブロック数の二乗の整数倍となるようなマッピングデータである、基地局。
［付記２２］
シーケンシャルな物理リソースブロックに配列された複数のサブキャリアを使用する通信システムにおいて動作する移動通信装置であって、前記シーケンシャルな物理リソースブロックの隣接するブロックは複数の群に配列され、該移動通信装置は、
該移動通信装置に配分された１つ又は複数の仮想リソースブロックを特定するデータを受信する手段と、
基地局との通信に使用される物理リソースブロックを決定するために、各配分された仮想リソースブロックを、所定のマッピングデータを使用して、間隔を置かれた複数の前記物理リソースブロックにマッピングする手段と、
を備え、
前記所定のマッピングデータは、前記マッピングする手段によって、前記マッピングされた物理リソースブロック間の前記間隔が、各群内の物理リソースブロック数の二乗の整数倍となるようなマッピングデータである、移動通信装置。
［付記２３］
シーケンシャルな物理リソースブロックに配列された複数のサブキャリアを使用する通信システムにおいて動作する通信装置によって実施される方法であって、前記シーケンシャルな物理リソースブロックの隣接するブロックは複数の群に配列され、該方法は、
１つ又は複数の配分された仮想リソースブロックを特定するデータを取得すること、及び
通信に使用される物理リソースブロックを決定するために、各配分された仮想リソースブロックを、所定のマッピングデータを使用して、間隔を置かれた複数の前記物理リソースブロック上にマッピングすること、
を含み、
前記所定のマッピングデータは、前記マッピングする際に、前記マッピングされた物理リソースブロック間の前記間隔が、各群内の物理リソースブロック数の二乗の整数倍となるようなマッピングデータである、方法。
［付記２４］
前記方法は、移動通信装置によって実施され、前記取得する際に、前記１つ又は複数の配分された仮想リソースブロックを特定する前記データを受信することを含む、付記２３に記載の方法。
［付記２５］
前記方法は、基地局によって実施され、前記取得する際に、前記１つ又は複数の配分された仮想リソースブロックを特定する前記データを決定することを含む、付記２３に記載の方法。
【図１】
0005534258.tif 000063
【図２】
0005534258.tif 000064
【図３】
0005534258.tif 000065
【図４Ａ】
0005534258.tif 000066
【図４Ｂ】
0005534258.tif 000067
【図５】
0005534258.tif 000068
【図６】
0005534258.tif 000069
【図７】
0005534258.tif 000070